(57)【要約】    【課題】被研磨物の凹凸形状に追随してバリなどを確実に除去しつつ、長寿命化を図ることのできる研磨工具の提供。    【解決手段】回転軸８に装着可能な芯材４を設ける。芯材４の周囲に複数枚の研磨布５を放射状に固着する。研磨布５の間にスペーサー１３を介設する。研磨布５の先端側に切り込み１４を形成して複数の短冊状の研磨片６を形成する。互いに分離した研磨片６が柔軟に撓んで被研磨物３の凹凸形状に追随する。バリなどを確実かつ効率よく除去することができる。研磨片６の砥粒面が被研磨物３に当たるので、研磨片６がちぎれにくく、研磨工具１の長寿命化が図れる。【選択図】  図２
2010179417.tif 000002
【特許請求の範囲】
【請求項１】
回転軸に装着可能な芯材に、該芯材の周囲を取り囲むよう放射状に配置された複数枚の研磨布が固着され、前記研磨布に先端側から芯材の径方向に沿って複数の切り込みを形成することにより、前記研磨布の先端側に複数の短冊状の研磨片が形成されたことを特徴とする研磨工具。
【請求項２】
前記研磨布の研磨片は、先端側ほど芯材の周方向に傾斜する湾曲形状に癖付けされたことを特徴とする請求項１に記載の研磨工具。
【請求項３】
前記複数の研磨布の基端部間にスペーサーが介設されたことを特徴とする請求項１又は２に記載の研磨工具。
【請求項４】
前記研磨布の基端部が、芯材の周囲を取り囲む係止リングに係止されたことを特徴とする請求項１、２又は３に記載の研磨工具。
【発明の詳細な説明】
【技術分野】
【０００１】
本発明は、例えば金属製品に打ち抜き加工を施す際に生じるバリを除去するための研磨工具に関するものである。
【背景技術】
【０００２】
一般に、金属製品などは、研磨工具を用いて研磨することにより、その表面を良好な状態に仕上げるようにしている（特許文献１参照）。
【０００３】
図４に特許文献１の研磨工具を示す。研磨工具１０１は、方形状の不織布シート１０２を芯材１０３の周方向に積層しつつ、その径方向内側を芯材表面に固定してなる円柱状とされ、積層した不織布シート１０２の外周面を研磨面１０４として被研磨物を研磨するようになっている。
【０００４】
ただ、研磨工具１０１は、方形状の不織布シート１０２を円柱状に積層した構造であるため、その研磨面１０４が被研磨物の凹凸形状に追随しにくく、打ち抜き加工を施した金属製品のバリの除去に使用することができない。つまり、研磨工具１０１を用いてバリを除去しようとしても、そのバリが変形して打ち抜き加工面側に逃げるので、良好な仕上げ面を得ることができず、そのため、金属製品のバリの除去には、研磨効率が低下するものの被研磨物の凹凸形状に追随しやすいバリ取りブラシを用いることが多い。
【先行技術文献】
【特許文献】
【０００５】
【特許文献１】特開２０００−２６３４５３（段落番号００１４、図５）
【発明の概要】
【発明が解決しようとする課題】
【０００６】
ところで、バリ取りブラシよりも効率よくバリを除去することのできる研磨工具が求められており、図５に示すように、研磨工具１０５を円盤状の研磨布１０６を中心軸方向に多数枚重ねた構成とし、その研磨布１０６に放射状の切り込み１０７を入れて短冊状の研磨片１０８を形成することが考えられる。この研磨工具１０５は、各研磨片１０８が他の研磨片１０８と分離しているので、被研磨物の凹凸形状に追随することができ、金属製品に打ち抜き加工を施す際に生じるバリを効率よく除去することが期待できる。
【０００７】
しかし、研磨工具１０５を中心軸周りに回転させながら研磨することにより、短冊状の研磨片１０８がその幅方向に移動しながら被研磨物に当たるので、その分、研磨片１０８がちぎれやすく、研磨工具１０５の消耗が早くなるおそれがある。
【０００８】
本発明は、被研磨物の凹凸形状に追随してバリなどを確実に除去しつつ、長寿命化を図ることのできる研磨工具の提供を目的とする。
【課題を解決するための手段】
【０００９】
上記目的を達成するために、本発明に係る研磨工具は、回転軸に装着可能な芯材に、この芯材の周囲を取り囲むよう放射状に配置した複数枚の研磨布を固着し、その研磨布に先端側から芯材の径方向に沿って複数の切り込みを形成することにより、研磨布の先端側に複数の短冊状の研磨片を形成したものである。
【００１０】
上記構成によれば、複数の研磨片を互いに分離させて形成するので、各研磨片が被研磨物の凹凸形状に追随して、バリなどを確実かつ効率よく除去することができる。しかも、研磨工具をその中心軸周りに回転させて被研磨物を研磨することにより、研磨片がその幅方向と直交する方向に移動しながら被研磨物に当たるので、研磨片をちぎれにくくすることができ、研磨工具の長寿命化を図ることができる。
【００１１】
また、研磨布の研磨片を先端側ほど芯材の周方向に傾斜する湾曲形状に癖付けすることができる。この構成によれば、被研磨物に研磨片の研磨面を当てて研磨することができるので、研磨片の先端縁のみを当てる構成よりも被研磨物を均一に研磨することができる。
【００１２】
また、複数の研磨布の基端部間にスペーサーを介設することができる。この構成によれば、研磨布と研磨布との間に間隔をあけるので、研磨片同士の擦れを抑えて各研磨片を柔軟に撓ませることができ、被研磨物の凹凸に追随しやすくすることができる。
【００１３】
また、研磨布の基端部を芯材の周囲を取り囲む係止リングに係止することができる。この構成によれば、単に研磨布の基端を芯材に接着剤で接着しただけのものよりも、研磨布の基端を芯材に強固に固着することができ、しかも、係止リングで研磨布を位置決めできるので、研磨工具の寸法精度を高めることができる。
【発明の効果】
【００１４】
以上のとおり、本発明によると、芯材の周囲に放射状に配置した研磨布に切り込みを形成して短冊状の研磨片を形成するので、その研磨片が被研磨物の凹凸形状に追随してバリなどを確実に除去することができる。しかも、研磨片がその幅方向と直交する方向に移動しながら被研磨物に当たって研磨するので、研磨片がちぎれにくく、研磨工具の長寿命化を図ることができる。
【図面の簡単な説明】
【００１５】
【図１】本発明に係る研磨工具を装着した自動研磨機の斜視図
【図２】上半分は研磨工具の側面図で、下半分は縦断面図
【図３】上半分は研磨工具の正面図で、下半分はＡ−Ａ断面図
【図４】従来の研磨工具の斜視図
【図５】円盤状の研磨布を中心軸方向に多数枚重ねて構成した研磨工具の斜視図
【発明を実施するための形態】
【００１６】
以下、本発明に係る研磨工具を実施するための最良の形態について、図面を用いて説明する。
【００１７】
図１〜図３に示すように、研磨工具１は、例えば、自動研磨機２に装備して金属製品などの被研磨物３を研磨することにより、金属製品の打ち抜き加工時に発生するバリを除去したり、ステンレス製あるいはアルミニウム製の平板や角パイプ、丸パイプなどの表面を良好な状態に仕上げたりするためのものであり、芯材４の周囲に複数枚の長方形の研磨布５を放射状に固着すると共に、研磨布５の先端側に複数の短冊状の研磨片６を形成した構造とされる。
【００１８】
図１に示すように、自動研磨機２は、鉛直軸周りに回転自在な研磨機本体７と、研磨機本体７から水平に突出する複数本の回転軸８とを備え、回転軸８に研磨工具１を装着して、研磨機本体７及び回転軸８を回転させることにより、自動研磨機２の下方に位置するコンベア９に載置した被研磨物３を研磨するようになっている。
【００１９】
芯材４は、発泡スチロールや塩化ビニルからなる円筒状とされ、その中央穴１０の両端部に設けられた軸受け１１に回転軸８を挿入することにより、研磨工具１が自動研磨機２に装着される。
【００２０】
研磨布５は、例えば、フェノール樹脂などの接着剤を用いて布面にシリコンカーバイトやアルミナなどの砥粒を接着し、さらに、その表面をフェノール樹脂などで覆って砥粒の脱落を防止したものであり、砥粒面側が凸に反るように形成される。
【００２１】
この研磨布５は、例えば５０ｍｍ程度の間隔で平行に配置した複数の係止リング１２に基端部を係止すると共に、その基端部間に厚紙などからなるスペーサー１３を介設することにより、複数枚の研磨布５が間隔を空けて放射状に配置される。これにより、全体として例えば外径が３５０ｍｍ程度のリング状の構造体が構成され、この構造体を芯材４の外周側に配置することにより、芯材４の周囲を取り囲むよう複数枚の研磨布５が放射状に配置される。
【００２２】
リング状の構造体は、その内側を例えばエポキシ二液性の接着剤で芯材４の外周面に接着され、さらに、例えば７０℃程度に加熱して乾燥することにより、その接着剤が固められる。これにより、研磨布５の基端部が、芯材４の周囲を取り囲む係止リング１２に係止されると共に、芯材４の外周面に接着されて強固に固着される。
【００２３】
研磨片６は、研磨布５に６ｍｍ程度の間隔で先端側から芯材４の径方向に沿う複数の切り込み１４を形成することにより、研磨布５の先端側に短冊状に複数ずつ形成される。さらに、リング状の構造体を芯材４に接着する接着剤を加熱乾燥して固める際、研磨布５が熱収縮によってより小さく湾曲するよう癖付けされ、その研磨片６が先端側ほど芯材４の周方向に傾斜する湾曲形状に癖付けされる。
【００２４】
上記構成によれば、研磨布５の先端側に複数の研磨片６を形成するので、各研磨片５が独立して撓むことにより、被研磨物３の凹凸形状に追随することができ、例えば、金属製品のバリを確実かつ効率よく除去することができる。さらに、研磨片６は、その砥粒面を被研磨物３に当てて研磨するので、被研磨物３を均一に研磨することができ、しかも、研磨片６がその幅方向に当たることによる破断を防止することができ、研磨工具１の寿命を６倍程度に延ばすことができる。
【符号の説明】
【００２５】
１    研磨工具
２    自動研磨機
３    被研磨物
４    芯材
５    研磨布
６    研磨片
７    研磨機本体
８    回転軸
９    コンベア
１０  中央穴
１１  軸受け
１２  係止リング
１３  スペーサー
１４  切り込み
【図１】
2010179417.tif 000003
【図２】
2010179417.tif 000004
【図３】
2010179417.tif 000005
【図４】
2010179417.tif 000006
【図５】
2010179417.tif 000007